(57)【特許請求の範囲】
【請求項１】
表示手段と、操作手段と、前記表示手段または前記操作手段を照明する照明手段と、前記操作手段への操作を検出することにより第１の計測時間の間に前記照明手段へ駆動電源を供給する電源供給手段と、を有する電子機器において、
前記操作手段の操作を無効に設定する設定手段と、
前記第１の計測時間の間に前記設定手段による操作手段への操作の無効が設定されると、直ちに前記電源供給手段による前記照明手段への駆動電源の供給を停止する第１の制御手段と、
前記設定手段による設定の一時的な解除を指示する一時解除指示手段と、
前記一時解除指示手段により一時的な解除が指示されると、前記設定手段による設定を前記第１の計測時間より短い第２の計測時間の間解除し、該第２の計測時間の間前記照明手段へ駆動電源を供給するとともに、該第２の計測時間が経過したときには、前記操作手段の操作を再び無効に設定し、前記照明手段への駆動電源の供給を再び停止する第２の制御手段と、
を備えることを特徴とする電子機器。
【請求項２】
前記設定手段による設定の解除を指示する解除指示手段を更に備え、
前記第２の制御手段は、前記解除指示手段により解除が指示されると、前記設定手段による設定を解除するとともに、前記第１の計測時間の間、前記照明手段へ駆動電源を供給するように制御することを特徴とする請求項１に記載の電子機器。
【請求項３】
前記操作手段は、第１の操作手段と、第２の操作手段とを有し、
前記一時解除指示手段は、前記第１の操作手段から入力される操作指示に基づいて設定の一時的な解除を指示し、
前記解除指示手段は、前記一時解除指示手段による指示に基づいた設定の一時的な解除の間に前記第２の操作手段から入力される操作指示に基づいて設定の解除を指示することを特徴とする請求項２に記載の電子機器。
【請求項４】
装置本体が少なくとも２つの可動筐体で構成され、
前記２つの可動筐体の相対的な位置関係の変化を検出する検出手段を更に備え、
前記解除指示手段は、前記検出手段による前記２つの可動筐体の位置変化の検出に応じて解除指示を行うことを特徴とする請求項２に記載の電子機器。
【請求項５】
前記２つの可動筐体は、前記表示手段を備えた第１の筐体と、前記操作手段を備えた第２の筐体とを有し、
前記２つの可動筐体の位置関係は、前記表示手段を露出させ且つ前記操作手段が隠れるように前記第１の筐体と前記第２の筐体とを配置する第１の状態と、前記表示手段と前記操作手段とを露出させるように前記第１の筐体と前記第２の筐体とを配置する第２の状態とを含み、
前記解除指示手段は、前記検出手段による前記第１の状態から前記第２の状態への変化の検出に応じて解除指示を行うことを特徴とする請求項４に記載の電子機器。
【請求項６】
前記解除指示手段は、前記一時解除指示手段による指示に基づいた設定の一時的な解除の間に前記検出手段による前記第１の状態から前記第２の状態への変化の検出に応じて解除指示を行うことを特徴とする請求項５に記載の電子機器。
【請求項７】
表示手段と、操作手段と、前記表示手段または前記操作手段を照明する照明手段と、前記操作手段への操作を検出することにより第１の計測時間の間に前記照明手段へ駆動電源を供給する電源供給手段と、を有する電子機器において、
前記操作手段への操作を無効に設定する設定手段と、
前記操作手段への操作を検出した場合に、その操作内容を判別する判別手段と、
前記判別手段によって、前記操作手段への操作を無効に設定するための操作内容であると判別された場合に、前記電源供給手段による前記照明手段への駆動電源の供給を停止する第１の制御手段と、
前記判別手段によって、前記操作手段への操作の無効を一時的に解除するための操作内容であると判別された場合に、前記第１の計測時間より短い第２の計測時間の間、前記照明手段へ駆動電源を供給し、該第２の計測時間が経過したときには、前記照明手段への駆動電源の供給を再び停止する第２の制御手段と、
を備えることを特徴とする電子機器。
【請求項８】
前記第２の制御手段は、前記判別手段によって、前記操作手段への操作を無効に設定するための操作内容及び前記操作手段への操作の無効を一時的に解除するための操作内容でないと判別された場合に、前記第１の計測時間の間、前記照明手段へ駆動電源を供給するように制御することを特徴とする請求項７に記載の電子機器。
【請求項９】
表示部、操作部、前記表示部または前記操作部を照明する照明部、及び、電源供給部を有するコンピュータを、
前記操作部への操作を検出することにより、第１の計測時間の間に前記電源供給部から前記照明部へ駆動電源を供給する電源供給手段、
前記操作部の操作を無効に設定する設定手段、
前記第１の計測時間の間に前記設定手段による前記操作部への操作の無効が設定されると、直ちに前記電源供給部による前記照明部への駆動電源の供給を停止する第１の制御手段、
前記設定手段による設定の一時的な解除を指示する一時解除指示手段、
前記一時解除指示手段により一時的な解除が指示されると、前記設定手段による設定を前記第１の計測時間より短い第２の計測時間の間解除し、該第２の計測時間の間前記照明部へ駆動電源を供給するとともに、該第２の計測時間が経過したときには、前記操作部の操作を再び無効に設定し、前記照明部への駆動電源の供給を再び停止する第２の制御手段、
として機能させることを特徴とする電源供給プログラム。
【請求項１０】
表示部、操作部、前記表示部または前記操作部を照明する照明部、及び、電源供給部を有するコンピュータを、
前記操作部への操作を検出することにより、第１の計測時間の間に前記電源供給部から前記照明部へ駆動電源を供給する電源供給手段、
前記操作部への操作を無効に設定する設定手段、
前記操作部への操作を検出した場合に、その操作内容を判別する判別手段、
前記操作部への操作を無効に設定するための操作内容であると判別された場合に、前記電源供給部による前記照明部への駆動電源の供給を停止する第１の制御手段、
前記操作手段への操作の無効を一時的に解除するための操作内容であると判別された場合に、前記第１の計測時間より短い第２の計測時間の間、前記照明部へ駆動電源を供給し、該第２の計測時間が経過したときには、前記照明部への駆動電源の供給を再び停止する第２の制御手段、
として機能させることを特徴とする電源供給プログラム。
【発明の詳細な説明】
【技術分野】
【０００１】
本発明は、表示部と操作部とを備えた電子機器、及び、電源供給プログラムに関し、詳細には、表示部又は操作部を照明する照明部を備えた電子機器、及び、電源供給プログラムに関する。
【背景技術】
【０００２】
近年における携帯電話などの電子機器は、ＬＣＤ（Liquid  Crystal  Display）などの表示部を明るくするためのバックライトとキー操作部を明るくするためのキーバックライトを備えており、当該キー操作部からのいずれかのキー入力等を検出した際に上述のバックライトやキーバックライトを点灯させることで、ユーザの周囲環境が暗い場合であっても快適な操作を行うことができる。
【０００３】
このバックライトやキーバックライトの点灯にかかる電力は無視できないものであった。このため、キー操作部への操作を検知する等によりバックライトやキーバックライトを点灯させるとともにタイマーを起動し、このタイマーにより計時される一定時間にキー操作を検知しなかった場合は消灯する機能を有するものがある。例えば、特許文献１には、操作手段の操作によってタイマーをスタートさせ、このタイマーの計時データが所定値を超えたことを条件として照明を停止させ、消費電力を抑えることを可能とする技術が開示されている。
【特許文献１】特開２０００−４２８２号公報
【発明の開示】
【発明が解決しようとする課題】
【０００４】
しかしながら、上記従来技術では、誤操作防止のために解除操作されるまでキー操作を無効にするキーロックを設定しても、そのキーロック設定操作によってスタートされるタイマーが一定時間経過するまでは依然として表示部等のバックライトが点灯したままであり、消費電力の削減にならないという問題があった。
【０００５】
本発明の課題は、上記従来技術の問題点に鑑みてなされたものであって、電子機器の操作無効設定時における消費電力を抑えることである。
【課題を解決するための手段】
【０００６】
本発明の電子機器は、表示手段と、操作手段と、前記表示手段又は前記操作手段を照明する照明手段と、前記操作手段への操作を検出することにより第１の計測時間の間に前記照明手段へ駆動電源を供給する電源供給手段と、を有する電子機器において、前記操作手段の操作を無効に設定する設定手段と、前記第１の計測時間の間に前記設定手段による操作手段への操作の無効が設定されると、直ちに前記電源供給手段による前記照明手段への駆動電源の供給を停止する第１の制御手段と、前記設定手段による設定の一時的な解除を指示する一時解除指示手段と、前記一時解除指示手段により一時的な解除が指示されると、前記設定手段による設定を前記第１の計測時間より短い第２の計測時間の間解除し、該第２の計測時間の間前記照明手段へ駆動電源を供給するとともに、該第２の計測時間が経過したときには、前記操作手段の操作を再び無効に設定し、前記照明手段への駆動電源の供給を再び停止する第２の制御手段と、を備えることを特徴とする。
【０００７】
また、前記設定手段による設定の解除を指示する解除指示手段を更に備え、前記第２の制御手段は、前記解除指示手段により解除が指示されると、前記設定手段による設定を解除するとともに、前記第１の計測時間の間、前記照明手段へ駆動電源を供給するように制御することを特徴とする。 
【０００９】
更に、前記操作手段は、第１の操作手段と、第２の操作手段とを有し、前記一時解除指示手段は、前記第１の操作手段から入力される操作指示に基づいて設定の一時的な解除を指示し、前記前記解除指示手段は、前記一時解除指示手段による指示に基づいた設定の一時的な解除の間に前記第２の操作手段から入力される操作指示に基づいて設定の解除を指示することを特徴とする。 
【００１０】
更にまた、装置本体が少なくとも２つの可動筐体で構成され、前記２つの可動筐体の相対的な位置関係の変化を検出する検出手段を更に備え、前記解除指示手段は、前記検出手段による前記２つの可動筐体の位置変化の検出に応じて解除指示を行うことを特徴とする。 
【００１１】
また、前記２つの可動筐体は、前記表示手段を備えた第１の筐体と、前記操作手段を備えた第２の筐体とを有し、前記２つの可動筐体の位置関係は、前記表示手段を露出させ且つ前記操作手段が隠れるように前記第１の筐体と前記第２の筐体とを配置する第１の状態と、前記表示手段と前記操作手段とを露出させるように前記第１の筐体と前記第２の筐体とを配置する第２の状態とを含み、前記解除指示手段は、前記検出手段による前記第１の状態から前記第２の状態への変化の検出に応じて解除指示を行うことを特徴とする。 
【００１２】
更に、前記解除指示手段は、前記一時解除指示手段による指示に基づいた設定の一時的な解除の間に前記検出手段による前記第１の状態から前記第２の状態への変化の検出に応じて解除指示を行うことを特徴とする。 
【００１３】
本発明の電子機器は、表示手段と、操作手段と、前記表示手段または前記操作手段を照明する照明手段と、前記操作手段への操作を検出することにより第１の計測時間の間に前記照明手段へ駆動電源を供給する電源供給手段と、を有する電子機器において、前記操作手段への操作を無効に設定する設定手段と、前記操作手段への操作を検出した場合に、その操作内容を判別する判別手段と、前記判別手段によって、前記操作手段への操作を無効に設定するための操作内容であると判別された場合に、前記電源供給手段による前記照明手段への駆動電源の供給を停止する第１の制御手段と、前記判別手段によって、前記操作手段への操作の無効を一時的に解除するための操作内容であると判別された場合に、前記第１の計測時間より短い第２の計測時間の間、前記照明手段へ駆動電源を供給し、該第２の計測時間が経過したときには、前記照明手段への駆動電源の供給を再び停止する第２の制御手段と、を備えることを特徴とする。
また、前記第２の制御手段は、前記判別手段によって、前記操作手段への操作を無効に設定するための操作内容及び前記操作手段への操作の無効を一時的に解除するための操作内容でないと判別された場合に、前記第１の計測時間の間、前記照明手段へ駆動電源を供給するように制御することを特徴とする。
本発明の電源供給プログラムは、表示部、操作部、前記表示部または前記操作部を照明する照明部、及び、電源供給部を有するコンピュータを、前記操作部への操作を検出することにより、第１の計測時間の間に前記電源供給部から前記照明部へ駆動電源を供給する電源供給手段、前記操作部の操作を無効に設定する設定手段、前記第１の計測時間の間に前記設定手段による前記操作部への操作の無効が設定されると、直ちに前記電源供給部による前記照明部への駆動電源の供給を停止する第１の制御手段、前記設定手段による設定の一時的な解除を指示する一時解除指示手段、前記一時解除指示手段により一時的な解除が指示されると、前記設定手段による設定を前記第１の計測時間より短い第２の計測時間の間解除し、該第２の計測時間の間前記照明部へ駆動電源を供給するとともに、該第２の計測時間が経過したときには、前記操作部の操作を再び無効に設定し、前記照明部への駆動電源の供給を再び停止する第２の制御手段、として機能させることを特徴とする。
【００１４】
本発明の電源供給プログラムは、表示部、操作部、前記表示部または前記操作部を照明する照明部、及び、電源供給部を有するコンピュータを、前記操作部への操作を検出することにより、第１の計測時間の間に前記電源供給部から前記照明部へ駆動電源を供給する電源供給手段、前記操作部への操作を無効に設定する設定手段、前記操作部への操作を検出した場合に、その操作内容を判別する判別手段、前記操作部への操作を無効に設定するための操作内容であると判別された場合に、前記電源供給部による前記照明部への駆動電源の供給を停止する第１の制御手段、前記操作手段への操作の無効を一時的に解除するための操作内容であると判別された場合に、前記第１の計測時間より短い第２の計測時間の間、前記照明部へ駆動電源を供給し、該第２の計測時間が経過したときには、前記照明部への駆動電源の供給を再び停止する第２の制御手段、として機能させることを特徴とする。
【発明の効果】
【００１６】
本発明によれば、操作無効設定時における消費電力を抑えることができる。 
【発明を実施するための最良の形態】
【００１８】
以下、実施の形態を図を参照しながら説明する。なお、この実施の形態は最も好ましい形態を示すものであり、特にこの形態に限定するものではない。
【００１９】
［第１の実施の形態］
先ず、第１の実施の形態について、図１〜図５を参照して説明する。図１は、携帯電話１００の機能的構成を模式的に示すブロック図である。図２は、スライド機構を備えた携帯電話１００の外観図であり、（ａ）は開いた状態、（ｂ）は閉じた状態を示す図である。図３は、携帯電話１００の動作を示すフローチャートである。図４は、携帯電話１００のキー操作無効設定時処理を示すフローチャートである。図５は、携帯電話１００のキー操作無効設定時処理の変形例を示すフローチャートである。
【００２０】
図１に示すように、携帯電話１００は、アンテナ１１、無線処理部１２、制御部１３、記憶部１４、音声処理部１５、入力部３、照明制御部１６、ドライバ１７、撮像処理部１９、音源ＲＯＭ２０、開閉検出部２１及び計時部２２がバスＢで互いに電気的に接続する構成である。
【００２１】
無線処理部１２は、利用者が通話する際に、マイクなどを介して入力され、音声処理部１５などで音声処理されて所定の圧縮符号化形式に変換された音声情報を、無線通信方式にて定められた音声信号に変調してアンテナ１１を介して外部の基地局に送信する。
【００２２】
また、無線処理部１２は、アンテナ１１を介して基地局等から受信された無線信号からデジタルデータへ復調し、音声信号ならばそのデジタルデータを音声処理部１５へ出力する。また、デジタルデータがパケットデータであれば、そのパケットデータより復元された各種データ（メールデータやダウンロードデータ）を制御部１３に出力する。
【００２３】
制御部１３は、ＣＰＵ（Central  Processing  Unit）、ＲＯＭ（Read  Only  Memory）、ＲＡＭ（Random  Access  Memory）等を備える。制御部１３におけるＣＰＵは、ＲＯＭや記憶部１４に格納された制御プログラムを順次実行することで各部の動作を制御し、携帯電話１００を統括制御する。
【００２４】
記憶部１４は、ＥＥＰＲＯＭ（Electrically  Erasable  and  Programmable  ROM）やＨＤＤ（Hard  Disk  Drive）などの光学的・磁気的記憶媒体や半導体メモリである不揮発メモリ１４１を有し、携帯電話１００に予め記憶されている電話番号を含むユーザプロファイルデータや、連絡先の電話番号データ、メールアドレス等の各種アプリケーションデータや、入力部３からの操作入力の中で所定の解除指示（例えば、サイドキーの長押しや複数キーを組み合わせた入力指示等）以外の操作入力を無効にするか否かの操作無効設定情報等の設定情報を記憶している。
【００２５】
音声処理部１５は、マイク４を介して入力された音声信号を所定の圧縮符号化形式に変換してバスＢに出力する。また、音声処理部１５は、音声通話時などにおいて、バスＢより入力されたデジタルデータを復元処理して音声信号に変換し、スピーカ１から音声出力を行う。
【００２６】
入力部３は、文字・数字入力キーや各種機能キーを備え、電話発信、メールの送受信、メール作成、電話帳登録などの各種アプリケーションの入力指示などを受け付けて、制御部１３へ出力する。制御部１３は、記憶部１４で設定された操作無効設定情報に応じ、操作無効が設定されていない場合は入力部３から入力された操作指示に基づいた処理を行い、操作無効が設定されている場合は入力部３からの入力を監視して所定の動作（操作無効の解除操作など）のみを受け付けてその動作に応じた処理を行う。
【００２７】
照明制御部１６は、制御部１３の制御の下、ＬＥＤ（Light Emitting Diode）などである発光素子２３、発光素子１６１及び発光素子１６２の駆動を制御する。発光素子２３は、外部からの着信を利用者に報知するための発光素子である。発光素子１６１、１６２は、光透過部材で一部もしくは全てが構成される入力部３又は表示部２のバックライト光源である。
【００２８】
ドライバ１７は、バッファエリア等を有し、制御部１３などから送られる画像データに基づいて表示部２を駆動させる。表示部２は、ＬＣＤ等の表示画面を備え、ドライバ１７からの駆動指示に基づいて、利用者が操作する際に必要な各種情報を表示する。
【００２９】
撮像処理部１９は、制御部１３の制御の下、レンズ５を介してＣＣＤ１８で撮像された画像データを読み出し、各種画像処理を施した後にデジタル画像データとして制御部１３へ出力する。
【００３０】
音源ＲＯＭ２０は、各種音源をデジタルデータとして記憶するＲＯＭであり、制御部１３からの読み出し指示に基づいて音源データを出力する。制御部１３は、記憶部１４に格納された音楽（音声）ファイルデータ等を音声処理部１５を介して再生する際に、この音源ＲＯＭ２０に格納された音源データを読み出して音声処理部１５へ出力することで音楽（音声）再生を行わせる。
【００３１】
開閉検出部２１は、携帯電話１００を構成する筐体のヒンジ部分やスライド部分等に設けられたスイッチなどであり、後述する携帯電話１００を構成する複数の筐体の位置関係に応じたオン／オフ信号を制御部１３に出力する。制御部１３は、この開閉検出部２１からの信号に基づいて、各筐体の位置関係に因って入力部３や表示部２が露出した開状態であるか、又は、入力部３や表示部２が隠された閉状態であるか等の検出を行う。
【００３２】
計時部２２は、特に図示しない常時一定周波数を発信する発振器によるクロック信号を基準に、制御部１３の制御に基づいて時間の計測を行い、その計測した時間情報を制御部１３へ出力する。
【００３３】
電源供給制御部２４は、制御部１３の制御の下、電池６からの電力を各部に供給する回路部である。電池６は、商用電源や一次又は二次電池等の電池電源であり、携帯電話１００全体に電力を供給する電源である。
【００３４】
次に、携帯電話１００の外観について説明する。携帯電話１００は、図２に示すように、第１の筐体１０２と第２の筐体１０３とを有し、当該第１の筐体１０２と第２の筐体１０３とはスライド機構１３０によりスライド可能に接続する構成である。第１の筐体１０２は、スピーカ１、表示部２及び入力部３としてのカーソルキー３２、決定キー３３、ファンクションキー３４〜３７を備える。第２の筐体１０３は、マイク４及び入力部３としての文字・数字入力キー３１、サイド選択キー３８、サイド入力キー３９を備える。
【００３５】
携帯電話１００は、第１の筐体１０２と第２の筐体１０３とをスライド機構１３０でスライドさせることで、図２（ａ）に示すように、第２の筐体１０３の文字・数字入力キー３１を外部に露出する開状態とすることができる。また、携帯電話１００は、図２（ｂ）に示すように、第２の筐体１０３の文字・数字入力キー３１を第１の筐体１０２で覆う閉状態とすることができる。この携帯電話１００における開状態／閉状態は、前述した開閉検出部２１で検出される。
【００３６】
携帯電話１００における閉じた状態では、図２（ｂ）に示すように、スピーカ１、表示部２、マイク４と、入力部３として文字・数字入力キー３１以外の各種入力ボタンを外部に露出する。このため、閉じた状態は、文字・数字入力キー３１からの入力、つまり、数字入力や文字入力等の入力操作以外の選択・決定などの簡単な入力を元に、携帯電話１００の操作を可能とする。
【００３７】
次に、制御部１３が各部を制御して行う携帯電話１００の動作について説明する。図３に示すように、制御部１３は、入力部３からの操作入力の検出を判定して、操作入力が行われるまで待機し（ステップＳ１１）、入力部３からの操作入力を検出した場合は所定の解除指示以外の操作入力を無効にするキー操作無効が設定中であるか否かを判定し（ステップＳ１２）、キー操作無効中である場合はキー操作無効設定時処理を行って（ステップＳ１３）、終了する。
【００３８】
ステップＳ１２においてキー操作無効が設定中でない場合は、表示部２や入力部３を照明する発光素子１６１や発光素子１６２が点灯され（ステップＳ１４）、キー操作間隔を計測するための第１タイマーが起動される（ステップＳ１５）。
【００３９】
次いで、入力部３からの操作入力を再度検出したか否かが判定され（ステップＳ１６）、検出されない場合は第１のタイマーがタイムアップしたか否かが判定され（ステップＳ１７）、第１のタイマーがタイムアップしていない場合はステップＳ１４で点灯された照明がそのまま継続して点灯されて（ステップＳ１８）、ステップＳ１６へ戻り、第１のタイマーがタイムアップの場合はステップＳ１４で点灯された照明が消灯されて（ステップＳ２２）、終了する。このため、携帯電話１００では、キー操作無効が設定されていない場合、操作入力後から次の操作入力までの間が第１のタイマーで計測される時間以内において、表示部２や入力部３の照明が点灯される。
【００４０】
ステップＳ１６において、入力部３からの操作入力が再度検出された場合は、サイド入力キー３９の長押し操作等の入力部３からの入力を無効に設定するキー操作無効の設定操作であるか否かが判定され（ステップＳ１９）、そのキー操作無効の設定操作であると判定された場合は、キー操作無効が設定され（ステップＳ２１）、ステップＳ１４で点灯された照明が消灯されて（ステップＳ２２）、終了する。つまり、携帯電話１００では、キー操作無効の設定操作が行われた際には、第１のタイマーのタイムアップを待つことなく直ちに照明が消灯される。
【００４１】
ステップＳ１９において、入力部３からの操作入力がキー操作無効の設定操作以外の他の操作であると判定された場合は、第１のタイマーがリセットされるとともに照明の点灯が継続され（ステップＳ２０）、ステップＳ１６へ戻る。つまり、携帯電話１００では、入力部３からの操作入力が再度行われた段階でキー操作間隔を計測するための第１のタイマーがリセットされ、再び第１のタイマーがタイムアップするまで、又は、新たな操作入力が行われるまでの間、照明の点灯が継続される。
【００４２】
次に、上述した入力部３からの操作入力時にキー操作無効が設定されている場合、ステップＳ１３において行われる閉状態におけるキー操作無効設定時処理について詳細に説明する。
【００４３】
図４に示すように、制御部１３は、入力部３からの操作入力がサイド入力キー３９の長押し操作等の予め定められた所定の操作であり、表示部２や入力部３の照明を一時的に点灯させるために入力部３からの操作入力の無効を一時的に解除するキー操作無効設定の部分解除操作が行われたか否かを判定し（ステップＳ３１）、部分解除操作でない場合はそのまま終了する。
【００４４】
ステップＳ３１において、キー操作無効設定の部分解除操作が行われたと判定された場合は、キー操作が行われた際に表示部２や入力部３の照明点灯のみを有効にするキー操作無効設定の部分解除が行われ（ステップＳ３２）、表示部２や入力部３の照明（発光素子１６１、１６２）が点灯されて（ステップＳ３３）、前述した第１のタイマーよりも設定時間の短い第２のタイマーが起動される（ステップＳ３４）。
【００４５】
次いで、開閉検出部２１からの検出結果に基づいて、前述した第１の筐体１０２と第２の筐体１０３とをスライドさせて文字・数字入力キー３１を露出させる開状態への操作が行われたか否かが判定され（ステップＳ３５）、開状態への操作が行われない場合は第２のタイマーがタイムアップしたか否かが判定され（ステップＳ４２）、第２のタイマーがタイムアップしていない場合はステップＳ３３で点灯された照明がそのまま継続して点灯されて（ステップＳ４４）、ステップＳ３５へ戻り、第２のタイマーがタイムアップの場合はステップＳ３３で点灯された照明が消灯されて（ステップＳ４３）、終了する。
【００４６】
このため、携帯電話１００では、キー操作無効設定の部分解除が行われた場合は第１のタイマーよりも短い第２のタイマーで計測される時間以内において、表示部２や入力部３の照明が点灯される。なお、特に図示しないが、第２のタイマーがタイムアップする前に、開状態への操作以外の操作、例えば、サイド入力キー３９などの操作入力を再度検出した場合、第２のタイマーをリセットして照明点灯を継続させる構成であってもよい。
【００４７】
ステップＳ３５において、開状態への操作が行われた場合、つまり、文字・数字の入力を行うために文字・数字入力キー３１が露出された場合は、キー操作無効設定が解除され（ステップＳ３６）、第１のタイマーが起動され（ステップＳ３７）、入力部３からのキー操作入力が検出されたか否かが判定され（ステップＳ３８）、キー操作が入力された場合は第１のタイマーがリセットされて照明点灯が継続され（ステップＳ３９）、キー操作が入力されない場合は第１のタイマーのタイムアップが判定されて（ステップＳ４０）、第１のタイマーがタイムアップと判定されるまで照明の点灯が継続され（ステップＳ４１）、タイムアップと判定された場合は照明が消灯されて（ステップＳ４３）、終了する。
【００４８】
このため、携帯電話１００では、第２のタイマーがタイムアップする前に開状態への操作が行われた場合、キー操作無効設定を解除される。なお、ステップＳ３７以下の処理は、前述した図３におけるステップＳ１５以下の処理と同様に、キー操作を無効に設定する操作が行われた場合はキー操作を無効に設定する処理を有するものであっても良い。
【００４９】
また、上述したキー操作無効設定時処理の変形例として、キー操作無効設定の解除を開状態へ操作以外で行う処理を説明する。図５に示すように、キー操作無効設定の解除は、第２タイマーがタイムアップする前にキー操作無効を解除する所定のキー操作の検出（ステップＳ３５１）であってもよい。つまり、キー操作無効設定の一時的な解除及び本解除を入力部３からの操作のみで行ってもよい。
【００５０】
この図５に示すキー操作無効設定の解除の具体例としては、ステップＳ３１でサイド入力キー３９等の長押し操作を検出した後に、文字・数字入力キー３１の操作を検出した場合などである。この場合、利用者は、表示部２における画面の一時的な確認をサイド入力キー３９等で行い、そのまま入力指示を行うために文字・数字入力キー３１を操作するだけで、キー操作無効の設定を解除させることができる。
【００５１】
また、図４、５に示したキー操作無効設定時処理では、キー操作無効設定の部分解除に関する操作を検出して、本解除に関する操作を検出する構成としたが、本解除に関する操作を検出した場合は直ちに本解除を行ってもよい。つまり、携帯電話１００は、ステップＳ３１〜Ｓ３４までの処理を行わず、本解除に関する操作を検出した場合（ステップＳ３５）、キー操作無効設定の解除と照明点灯とを行い（ステップＳ３６）、前述したステップＳ３７〜Ｓ４１、Ｓ４３の処理を行う構成であってよい。
【００５２】
以上のように、携帯電話１００は、入力部３からの操作の検出により、第１のタイマーで計測される時間の間、発光素子１６１や発光素子１６２等の表示部２や入力部３の照明に電源を供給する際に、入力部３から操作を無効にする設定が行われた場合は直ちにその照明への電源の供給を停止する構成である。このため、携帯電話１００は、キー操作無効が設定された場合に、第１のタイマーのタイムアップを待つことなく、直ちに不要な表示部２や入力部３の照明をオフにすることができ、操作無効設定時における消費電力を抑えることができる。
【００５３】
また、携帯電話１００は、キー操作無効が設定されている際に、入力部３からの解除指示（例えばサイド入力キー３９の長押し）の入力や、第１の筐体１０２と第２の筐体１０３による開状態や閉状態などの相対的な位置関係の変化の検出に応じて当該キー操作無効の設定を解除することができる。
【００５４】
また、携帯電話１００は、キー操作無効が設定されている場合、入力部３からの一時的な解除指示（例えばサイド入力キー３９の長押し）の入力などにより、操作入力がされた際の通常の照明点灯時間である第１のタイマーより短い第２のタイマーによる時間、照明を点灯する構成であるため、操作無効設定時における消費電力を抑えることができる。
【００５５】
また、携帯電話１００は、キー操作無効が設定されている場合、入力部３における文字・数字入力キー３１やサイド入力キー３９などの複数の操作手段で一時的又は完全なキー操作の解除指示を受け付ける構成であるため、誤操作による解除を未然に防ぐことができる。
【００５６】
また、携帯電話１００は、閉状態でキー操作無効が設定されており、一時的な解除指示により照明が点灯している際に、開状態が検出された場合、当該キー操作無効の設定を解除することができ、わざわざ入力部３から解除指示を入力する必要なく、キー操作無効を解除することができる。
【００５７】
また、携帯電話１００は、キー操作無効が設定されており、文字や数字などの主な入力を行う文字・数字入力キー３１が隠れる閉状態から当該文字・数字入力キー３１が露出する開状態への変化が検出された場合に、そのキー操作無効を解除することができ、文字・数字入力キー３１による入力が準備できた際に新たな解除指示を行うことなく、速やかに文字・数字入力キー３１からの操作入力を行うことができる。
【００５８】
また、携帯電話１００は、キー操作無効が設定されており、文字や数字などの主な入力を行う文字・数字入力キー３１が隠れる閉状態において、露出しているサイド入力キー３９などから第２のタイマーによる一時的な解除を行うとともに、この一時的な解除の間に文字・数字入力キー３１が露出する開状態への変化が検出された場合に、キー操作無効を解除することができ、利用者が意図しない開状態への移行によるキー操作無効の解除を防止することができる。
【００５９】
［第２の実施の形態］
次に、第２の実施の形態である２軸ヒンジ機構を有する携帯電話２００について、図１、３、４、５、６、７を参照して説明する。なお、前述した図１、３、４、５に関して、携帯電話１００と同様の構成や動作ついては、同一の符号を付して説明を省略する。
【００６０】
図６は、携帯電話２００の開状態の外観図であり、図６（ａ）は正面外観を示し、図６（ｂ）は右側面（Ａ方向からみた）の外観を示す。図７は、携帯電話２００の閉状態（折りたたんだ状態）の外観図であり、図７（ａ）は閉状態（表示部２を露出させて折りたたんだ状態）の正面外観図であり、図７（ｂ）は図７（ａ）をＢ方向から見た場合の側面図であり、図７（ｃ）は表示部２を第２の筐体２０３で覆うように折りたたんだ状態の正面外観図である。
【００６１】
携帯電話２００は、図６（ａ）に示すように、開状態の正面位置において、スピーカ１、表示部２を有する第１の筐体２０２と、入力部３としての文字・数字入力キー３１、カーソルキー３２、決定キー３３、ファンクションキー３４、ファンクションキー３５、ファンクションキー３６及びファンクションキー３７を有する第２の筐体２０３とが第１ヒンジ部２１０及び第２ヒンジ部２２０で接続する構成である。また、携帯電話２００は、図６（ｂ）に示すように、図６（ａ）におけるＡ方向から見た第２の筐体２０３の側面にサイド選択キー３８及びサイド入力キー３９を有する。
【００６２】
第１ヒンジ部２１０は、図６（ａ）に示すように、第１の筐体２０２に連結されて当該第１の筐体２０２と一体的に回転する可動部２１１と、第２の筐体２０３側に固定されるとともに可動部２１１の両側に設けられた左右一対の固定部２１２、２１３とで構成されている。第１の筐体２０２は、この第１ヒンジ部２１０で第２の筐体２０３と接続する構成であり、第２の筐体２０３に対し第１ヒンジ部２１０を軸として開閉可能（矢印α方向又はその逆方向）である。また、第１ヒンジ部２１０と第１の筐体２０２とは第２ヒンジ部２２０を介して接続しており、第１の筐体２０２は第２ヒンジ部２２０を軸として回転可能（矢印β方向又はその逆方向）な構成である。
【００６３】
この第１ヒンジ部２１０及び第２ヒンジ部２２０により、第１の筐体２０２と第２の筐体２０３を接続する構成であるため、携帯電話２００は、図６（ａ）に示す開状態から、第１の筐体２０２を第１ヒンジ部２１０を軸としてα方向に回転させて、第２ヒンジ部２２０を軸としてβ方向に回転させることで、図７（ａ）、（ｂ）に示すような表示部２を外部に露出した閉状態とすることができる。
【００６４】
なお、図７（ｂ）に示すように、第１の筐体２０２は、上述した閉状態において、第２の筐体２０３の側面に設けられたサイド選択キー３８及びサイド入力キー３９と同じ側面方向にサイド選択キー３８ａ及びサイド入力キー３９ａ〜３９ｃを備える構成であってよい。この場合は、表示部２を外部に露出した閉状態において、第１の筐体２０２又は第２の筐体２０３の同一側面にある入力部３から操作することができる。
【００６５】
また、携帯電話２００は、図６（ａ）に示す開状態から第１の筐体２０２を第１ヒンジ部２１０を軸としてα方向に回転させることで、図７（ｃ）に示すような表示部２を第２の筐体２０３で覆うように閉状態とすることができる。
【００６６】
この携帯電話２００における開閉検出部２１は、図６（ａ）に示す第１ヒンジ部２１０のα方向の回転位置と第２ヒンジ部２２０のβ方向の回転位置とを検出する構成であり、第１の筐体２０２と第２の筐体２０３とを開いた状態（図６（ａ））、表示部２を外部に露出して閉じた状態（図７（ａ）、図７（ｂ））、表示部２を第２の筐体２０３で覆うように閉じた状態（図７（ｃ））のいずれの状態であるかを検出可能である。
【００６７】
このため、携帯電話２００は、上述した３つの状態を移行する際に、キー操作無効状態の一時的な解除や本解除を行うことができる。さらに、上述した３つの状態を順次移行する場合、キー操作無効状態からキー操作無効設定の一時的な解除状態を経て本解除を行うことができる。
【００６８】
具体的には、図４に示すように、ステップＳ３１において、表示部２を第２の筐体２０３で覆うように閉じた状態（図７（ｃ））から表示部２を外部に露出して閉じた状態（図７（ａ）、図７（ｂ））の検出を判定し、ステップＳ３５において、表示部２を外部に露出して閉じた状態から第１の筐体２０２と第２の筐体２０３とを開いた状態（図６（ａ））の検出を判定する構成である。
【００６９】
［第３の実施の形態］
次に、第３の実施の形態である携帯電話３００について、図１、３、５、８を参照して説明する。なお、前述した図１、３、５に関して、上述した携帯電話１００や携帯電話２００と同様の構成については、同一の符号を付して説明を省略する。ただし、携帯電話３００は、図１に示した携帯電話１００、携帯電話２００の機能的構成との相違として、開閉検出部２１を備えない構成である。
【００７０】
図８（ａ）は、携帯電話３００の正面外観を示す外観図であり、図８（ｂ）は、携帯電話３００の側面（Ｃ方向からみた）外観図である。
【００７１】
図８（ａ）に示すように、携帯電話３００は、一つの筐体３０２で構成され、正面において、スピーカ１、表示部２、マイク４及び入力部３としての文字・数字入力キー３１、カーソルキー３２、決定キー３３、ファンクションキー３４、ファンクションキー３５、ファンクションキー３６、ファンクションキー３７を有する構成である。また、図８（ｂ）に示すように、携帯電話３００は、図８（ａ）におけるＣ方向から見た筐体３０２の側面にサイド選択キー３８及びサイド入力キー３９を有する構成である。
【００７２】
携帯電話３００における動作処理は、図３におけるキー操作無効設定時処理（ステップＳ１３）として、図５に例示したキー操作のみを検出する処理が行われる。この操作無効設定時処理においては、例えば、サイド入力キー３９の長押しの検出を判定して（ステップＳ３１）、キー操作無効設定の部分解除を行い（ステップＳ３２）、その部分解除の間に正面に設けられた何れかのキー操作の検出を判定して（ステップＳ３５１）、キー操作無効設定を本解除する。
【００７３】
以上のように、携帯電話３００は、一つの筐体３０２で構成され、キー操作無効状態の設定や、その一時的な解除又は本解除を入力部３から入力される所定の操作の検出のみで行う構成であってよい。
【００７４】
［第４の実施の形態］
次に、第４の実施の形態である携帯電話４００について、図３、４、５、９、１０を参照して説明する。なお、前述した図３、４、５に関に関して、上述した携帯電話１００、２００、３００と同様の構成については、同一の符号を付して説明を省略する。
【００７５】
図９は、携帯電話４００の機能的構成を模式的に示すブロック図である。図１０は折りたたみ式カメラ付き携帯電話の外観図であり、図１０（ａ）は、携帯電話４００の開いた状態における正面外観を示す図であり、図１０（ｂ）は、携帯電話４００の開いた状態における背面外観を示す図であり、図１０（ｃ）は、携帯電話４００の開いた状態と閉じた状態の移行途中の状態における外観を示す図であり、図１０（ｄ）は、携帯電話４００の完全に閉じた状態における側面外観を示す図である。
【００７６】
図９に示すように、携帯電話４００は、前述した携帯電話１００等における機能的構成の他に、ドライバ１７により駆動されるサブ表示部２ａとそれを照明するために照明制御部１６により駆動される発光素子１６３とを備える構成である。
【００７７】
このサブ表示部２ａと表示部２及び発光素子１６３と発光素子１６２は、制御部１３からの指示に基づいて個別に制御される。このため、例えば、開閉検出部２１で検出される開状態又は閉状態に応じて、サブ表示部２ａ又は表示部２の表示内容や照明の有無を個別に変更することができる。
【００７８】
携帯電話４００は、図１０（ａ）に示すように、第１の筐体４０２と第２の筐体４０３とがヒンジ部４１０により回転可能に接合される構成である。このため、図１０（ｃ）に示すように、ヒンジ部４１０を軸にして第１の筐体４０２と第２の筐体４０３が向かい合うように折りたたみ可能な構成である。
【００７９】
第１の筐体４０２は、図１０（ａ）に示すように、開いた状態の正面位置にスピーカ１及び表示部２を備える。また、図１０（ｂ）、（ｃ）に示すように、第１の筐体４０２は開いた状態の背面位置にサブ表示部２ａを備える。このため、携帯電話４００は、閉じた状態であってもサブ表示部２ａから情報の表示を行うことができる。
【００８０】
第２の筐体４０３は、図１０（ａ）に示すように、開いた状態の正面位置に入力部３及びマイク４を備え、図１０（ｂ）に示すように、背面位置に電池６（充電池）を備える。また、第２の筐体４０３は、図１０（ｃ）、（ｄ）に示すように、側面位置にサイド選択キー３８及びサイド入力キー３９を備え、閉じた状態での操作入力を可能とする構成である。
【００８１】
携帯電話４００における動作は、前述した図３〜５と同様であるが、第２のタイマーで計測される時間内において点灯する画面をサブ表示部２ａとする構成であってよい。つまり、携帯電話４００は、図４に示した閉状態におけるキー操作無効設定時処理において、キー操作無効設定の部分解除時にサブ表示部２ａの発光素子１６３を点灯させ、開いた状態への操作が行われた場合に表示部２の発光素子１６２を点灯させる構成であってよい。
【００８２】
以上のように、携帯電話４００は、閉じた状態でも情報の表示を行うサブ表示部２ａを有し、キー操作無効設定時に当該サブ表示部２ａの照明を直ちに消灯する構成や、第２のタイマーで計測される時間内において点灯する画面を表示部２だけでなく、サブ表示部２ａとする構成であってよい。
【００８３】
なお、本実施の形態における記述は、一例を示すものであり、この形態に限定することを意味するものではない。本実施の形態における携帯電話１００、２００、３００、４００の構成及び動作に関しては、適宜変更が可能なものである。
【００８４】
例えば、本実施の形態では、キー操作無効時処理（ステップＳ１３）において、部分解除操作を検出した後にキー操作無効設定を解除する開状態への操作や所定のキー操作を検出する構成を例示したが、部分解除操作を経由することなく、キー操作無効設定を解除する構成であってもよい。つまり、図４の例では、ステップＳ３１でキー操作無効設定を解除する操作（開状態への操作や所定のキー操作）が検出されたか否かが判定され、検出された場合はステップＳ３７へ処理が流れる構成である。
【図面の簡単な説明】
【００８５】
【図１】携帯電話１００、２００、３００の機能的構成を模式的に示すブロック図である。
【図２】スライド機構を備えた携帯電話１００の外観図であり、（ａ）は開いた状態を示す図であり、（ｂ）は閉じた状態を示す図である。
【図３】携帯電話１００の動作を示すフローチャートである。
【図４】携帯電話１００のキー操作無効設定時処理を示すフローチャートである。
【図５】携帯電話１００のキー操作無効設定時処理の変形例を示すフローチャートである。
【図６】携帯電話２００を開いた状態の外観図であり、（ａ）は正面外観を示す図であり、（ｂ）は右側面（Ａ方向）の外観を示す図である。
【図７】携帯電話２００を折りたたんだ状態の外観図であり、（ａ）は表示部２を露出させて折りたたんだ状態の正面外観図であり、（ｂ）は表示部２を露出させて折りたたんだ状態でＢ方向から見た側面図であり、（ｃ）は表示部２を第２の筐体２０３で覆うように折りたたんだ状態の正面外観図である。
【図８】（ａ）は、携帯電話３００の正面外観を示す外観図であり、（ｂ）は、携帯電話３００のＣ方向からみた側面外観図である。
【図９】携帯電話４００の機能的構成を模式的に示すブロック図である。
【図１０】（ａ）は、携帯電話４００の開いた状態における正面外観を示す図であり、（ｂ）は、携帯電話４００の開いた状態における背面外観を示す図であり、（ｃ）は、携帯電話４００の開いた状態と閉じた状態の移行途中の状態における外観を示す図であり、（ｄ）は、携帯電話４００の完全に閉じた状態における側面外観を示す図である。
【符号の説明】
【００８６】
１００、２００、３００、４００  携帯電話
１  スピーカ
２  表示部
２ａ  サブ表示部
３  入力部
４  マイク
５  レンズ
６  電池
１１  アンテナ
１２  無線処理部
１３  制御部
１４  記憶部
１５  音声処理部
１６  照明制御部
１７  ドライバ
１８  ＣＣＤ
１９  撮像処理部
２０  音源ＲＯＭ
２１  開閉検出部
２２  計時部
２３、１６１、１６２、１６３  発光素子
２４  電源供給制御部
３１  文字・数字入力キー
３２  カーソルキー
３３  決定キー
３４、３５、３６、３７  ファンクションキー
３８、３８ａ  サイド選択キー
３９、３９ａ、３９ｂ、３９ｃ  サイド入力キー
１０２、２０２、４０２  第１の筐体
１０３、２０３、４０３  第２の筐体
１３０  スライド機構
１４１  不揮発メモリ
２１０  第１ヒンジ部
２１１  可動部
２１２、２１３  固定部
２２０  第２ヒンジ部
３０２  筐体
４１０  ヒンジ部
Ｂ  バス
【図１】
0004652256.tif 000002
【図２】
0004652256.tif 000003
【図３】
0004652256.tif 000004
【図４】
0004652256.tif 000005
【図５】
0004652256.tif 000006
【図６】
0004652256.tif 000007
【図７】
0004652256.tif 000008
【図８】
0004652256.tif 000009
【図９】
0004652256.tif 000010
【図１０】
0004652256.tif 000011